【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
複数の誘導加熱手段及び電熱ヒーターと、
前記複数の誘導加熱手段及び電熱ヒーターを制御する制御手段とを備え、
該制御手段は、前記複数の誘導加熱手段の最大加熱出力が、加熱調理器の最大定格消費電力値から前記電熱ヒーターの消費電力値を減じた範囲内で収まるように、前記誘導加熱手段を可変制御することを特徴とする加熱調理器。
【請求項２】
複数の誘導加熱手段及び電熱ヒーターと、
前記複数の誘導加熱手段及び電熱ヒーターを制御する制御手段とを備え、
該制御手段は、外部からの選択信号に基づいて、前記複数の誘導加熱手段にそれぞれ設定される固定最大加熱出力を切り換えて設定することを特徴とする加熱調理器。
【請求項３】
選択スイッチを備え、前記制御手段は、前記選択スイッチの選択信号に基づいて、前記誘導加熱手段の固定最大加熱出力値を切り換えることを特徴とする請求項２記載の加熱調理器。
【請求項４】
複数の誘導加熱手段及び電熱ヒーターを操作するための操作部を備え、前記制御手段は、前記操作部の操作信号に基づいて、前記誘導加熱手段の固定最大加熱出力値を切り換えることを特徴とする請求項２記載の加熱調理器。
【請求項５】
前記制御手段は、前記複数の誘導加熱手段に対して予め優先順位を設定し、前記電熱ヒーターが駆動されると、優先順位の低い誘導加熱手段の最大加熱出力を減少させることを特徴とする請求項１乃至４の何れかに記載の加熱調理器。
【請求項６】
操作信号を報知するための報知部と、該報知部を制御する報知制御部とを備え、該報知制御部は、前記制御手段が前記誘導加熱手段に設定される固定最大加熱出力を切り換えると、その旨を報知部に報知させることを特徴とする請求項２乃至５の何れかに記載の加熱調理器。
【請求項７】
前記報知部は、前記各誘導加熱手段又は電熱ヒーターに近接して又は対称位置に設けられた表示部を備え、該表示部は、前記各誘導加熱手段又は電熱ヒータに対応したタイマー表示機能及び設定温度表示機能を有することを特徴とする請求項１乃至６の何れかに記載の加熱調理器。
【請求項８】
前記表示部は、加熱調理器本体の被加熱物を載置する天面側に透明窓を介して配置されたことを特徴とする請求項７記載の加熱調理器。
【請求項９】
複数の誘導加熱手段及び電熱ヒーターと、
前記複数の誘導加熱手段及び電熱ヒーターを制御する制御手段と、
複数の誘導加熱手段及び電熱ヒーターの加熱出力又は調理加減を設定するための操作部を備え、該操作部をスライドレバーから構成したことを特徴とする加熱調理器。
【請求項１０】
前記操作部の内、複数の誘導加熱手段及び電熱ヒーターの加熱出力又は調理加減を設定するための操作部をスライドレバーから構成したことを特徴とする請求項１乃至９の何れかに記載の加熱調理器。
【請求項１１】
被加熱物の温度を検出する温度検出手段を備え、前記表示部はそれぞれが複数色表示可能な複数のセグメントからなり、前記報知制御手段は、所定の温度制御調理モードが設定されると、前記表示部のセグメントに対応して、所定温度から前記調理モードの設定温度までの範囲と、少なくとも前記温度検出手段からの温度とを前記表示部に識別表示させることを特徴とする請求項７、８又は１０記載の加熱調理器。
【請求項１２】
少なくとも２以上の誘導加熱手段に温度制御調理モードを設定可能にしたことを特徴とする請求項１乃至１１の何れかに記載の記載の加熱調理器。
【請求項１３】
前記制御手段は、被加熱物である鍋の種類を判別し、その種類に応じて誘導加熱手段の最大加熱出力に規制をかけることを特徴とする請求項１乃至１２の何れかに記載の加熱調理器。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
【課題を解決するための手段】
本発明に係る加熱調理器は、複数の誘導加熱手段及び電熱ヒーターと、複数の誘導加熱手段及び電熱ヒーターを制御する制御手段とを備え、制御手段は、複数の誘導加熱手段の最大加熱出力が、加熱調理器の最大定格消費電力値から前記電熱ヒーターの消費電力値を減じた範囲内で収まるように、誘導加熱手段を可変制御するものである。
【手続補正４】
【補正対象書類名】明細書
【補正対象項目名】００１６
【補正方法】変更
【補正の内容】
【００１６】
本発明に係る加熱調理器は、複数の誘導加熱手段及び電熱ヒーターと、複数の誘導加熱手段及び電熱ヒーターを制御する制御手段とを備え、制御手段は、外部からの選択信号に基づいて、複数の誘導加熱手段にそれぞれ設定される固定最大加熱出力を切り換えて設定するものである。
【手続補正５】
【補正対象書類名】明細書
【補正対象項目名】００１７
【補正方法】変更
【補正の内容】
【００１７】
本発明に係る加熱調理器は、選択スイッチを備え、制御手段は、選択手段の選択信号に基づいて、誘導加熱手段の固定最大加熱出力値を切り換えるものである。
【手続補正６】
【補正対象書類名】明細書
【補正対象項目名】００１８
【補正方法】変更
【補正の内容】
【００１８】
本発明に係る加熱調理器は、複数の誘導加熱手段及び電熱ヒーターを操作するための操作部を備え、前記制御手段は、前記操作部の操作信号に基づいて、誘導加熱手段の固定最大加熱出力値を切り換えるものである。
【手続補正７】
【補正対象書類名】明細書
【補正対象項目名】００１９
【補正方法】変更
【補正の内容】
【００１９】
本発明に係る加熱調理器において、制御手段は、複数の誘導加熱手段に対して予め優先順位を設定し、前記電熱ヒーターが駆動されると、優先順位の低い誘導加熱手段の最大加熱出力を減少させるものである。
【手続補正８】
【補正対象書類名】明細書
【補正対象項目名】００２０
【補正方法】変更
【補正の内容】
【００２０】
本発明に係る加熱調理器は、操作信号を報知するための報知部と、報知部を制御する報知制御部とを備え、報知制御部は、制御手段が誘導加熱手段に設定される固定最大加熱出力を切り換えると、その旨を報知部に報知させるものである。
【手続補正９】
【補正対象書類名】明細書
【補正対象項目名】００２１
【補正方法】変更
【補正の内容】
【００２１】
本発明に係る加熱調理器において、報知部は、各誘導加熱手段又は電熱ヒーターに近接して又は対称位置に設けられた表示部を備え、表示部は、各誘導加熱手段又は電熱ヒータに対応したタイマー表示機能及び設定温度表示機能を有するものである。
【手続補正１０】
【補正対象書類名】明細書
【補正対象項目名】００２２
【補正方法】変更
【補正の内容】
【００２２】
本発明に係る加熱調理器において、表示部は、加熱調理器本体の被加熱物を載置する天面側に透明窓を介して配置されたものである。
【手続補正１１】
【補正対象書類名】明細書
【補正対象項目名】００２３
【補正方法】変更
【補正の内容】
【００２３】
本発明に係る加熱調理器は、複数の誘導加熱手段及び電熱ヒーターと、複数の誘導加熱手段及び電熱ヒーターを制御する制御手段と、複数の誘導加熱手段及び電熱ヒーターの加熱出力又は調理加減を設定するための操作部を備え、操作部をスライドレバーから構成したものである。
【手続補正１２】
【補正対象書類名】明細書
【補正対象項目名】００２４
【補正方法】変更
【補正の内容】
【００２４】
本発明に係る加熱調理器は、前記操作部の内、複数の誘導加熱手段及び電熱ヒーターの加熱出力又は調理加減を設定するための操作部をスライドレバーから構成したものである。
【手続補正１３】
【補正対象書類名】明細書
【補正対象項目名】００２５
【補正方法】変更
【補正の内容】
【００２５】
本発明に係る加熱調理器は、被加熱物の温度を検出する温度検出手段を備え、前記表示部はそれぞれが複数色表示可能な複数のセグメントからなり、報知制御手段は、所定の温度制御調理モードが設定されると、表示部のセグメントに対応して、所定温度から調理モードの設定温度までの範囲と、少なくとも前記温度検出手段からの温度とを表示部に識別表示させるものである。
【手続補正１４】
【補正対象書類名】明細書
【補正対象項目名】００２６
【補正方法】変更
【補正の内容】
【００２６】
本発明に係る加熱調理器は、少なくとも２以上の誘導加熱手段に温度制御調理モードを設定可能にしたものである。
【手続補正１５】
【補正対象書類名】明細書
【補正対象項目名】００２７
【補正方法】変更
【補正の内容】
【００２７】
本発明に係る加熱調理器において、制御手段は、被加熱物である鍋の種類を判別し、その種類に応じて誘導加熱手段の最大加熱出力に規制をかけるものである。
【手続補正１６】
【補正対象書類名】明細書
【補正対象項目名】０１００
【補正方法】削除
【補正の内容】
【手続補正１７】
【補正対象書類名】明細書
【補正対象項目名】０１０１
【補正方法】変更
【補正の内容】
【０１０１】
【発明の効果】
本発明に係る加熱調理器によれば、複数の誘導加熱手段の最大加熱出力が、加熱調理器の所定の消費電力値から電熱ヒーターの消費電力値を減じた範囲内で収まるように、誘導加熱手段を可変制御するようにしたので、各誘導加熱手段の加熱出力を上記の範囲内で任意の設定することが可能になっており、誘導加熱コイルの設置制約による使いづらさがなくなり、また、高火力による調理が可能になっている。
【手続補正１８】
【補正対象書類名】明細書
【補正対象項目名】０１０２
【補正方法】変更
【補正の内容】
【０１０２】
本発明に係る加熱調理器によれば、外部からの選択信号に基づいて、誘導加熱手段に設定される固定最大加熱出力を切り換えて設定するようにしたので、誘導加熱コイルの設置制約による使いづらさがなくなり、例えば左右の何れの誘導加熱手段においても固定最大加熱出力を設定することができ、使い勝手の良いものとなっている。
【手続補正１９】
【補正対象書類名】明細書
【補正対象項目名】０１０３
【補正方法】変更
【補正の内容】
【０１０３】
本発明に係る加熱調理器によれば、選択スイッチの選択信号に基づいて、誘導加熱手段の固定最大加熱出力値を切り換えるようにしたので、使い勝手の良いものとなっている。
【手続補正２０】
【補正対象書類名】明細書
【補正対象項目名】０１０４
【補正方法】変更
【補正の内容】
【０１０４】
本発明に係る加熱調理器によれば、操作部の操作信号に基づいて、各誘導加熱手段の固定最大加熱出力値を切り換えるしたので、既設の設備に基づいて誘導加熱手段の固定最大加熱出力値を切り換えることができ、切り換えのための機械的な機構が不要になっている。
【手続補正２１】
【補正対象書類名】明細書
【補正対象項目名】０１０５
【補正方法】変更
【補正の内容】
【０１０５】
本発明に係る加熱調理器によれば、複数の誘導加熱手段に対して予め優先順位を設定し、電熱ヒーターが駆動されると、優先順位の低い誘導加熱手段の加熱出力を減少させるようにしたので、優先順位の高い誘導加熱手段の加熱出力を高く維持することができる。
【手続補正２２】
【補正対象書類名】明細書
【補正対象項目名】０１０６
【補正方法】変更
【補正の内容】
【０１０６】
本発明に係る加熱調理器によれば、誘導加熱手段に設定される固定最大加熱出力を切り換えると、その旨を報知部に報知させるようにしたので、どの誘導加熱手段に固定最大加熱出力が設定されるかを簡単に把握することができる。
【手続補正２３】
【補正対象書類名】明細書
【補正対象項目名】０１０７
【補正方法】変更
【補正の内容】
【０１０７】
本発明に係る加熱調理器によれば、各誘導加熱手段又は電熱ヒーターに近接して又は対称位置に設けられ表示部を備え、表示部は各誘導加熱手段又は電熱ヒータに対応したタイマー表示機能及び温度表示機能を設けたので、調理対象物である被加熱物の近傍でタイマー及び温度が確認することができ、見易いものとなっており、調理の状態を確実に把握することができる。
【手続補正２４】
【補正対象書類名】明細書
【補正対象項目名】０１０８
【補正方法】変更
【補正の内容】
【０１０８】
本発明に係る加熱調理器によれば、表示部は、加熱調理器本体の被加熱物を載置する天面側に透明窓を介して配置されたので、天面側の透明窓を介してタイマー及び温度を見ることができる。
【手続補正２５】
【補正対象書類名】明細書
【補正対象項目名】０１０９
【補正方法】変更
【補正の内容】
【０１０９】
本発明に係る加熱調理器によれば、複数の誘導加熱手段及び電熱ヒーターの加熱出力又は調理加減を設定するための操作部を備え、操作部をスライドレバーから構成したので、操作量が把握し易いものとなっており、操作性に優れたものとなっている。
【手続補正２６】
【補正対象書類名】明細書
【補正対象項目名】０１１０
【補正方法】変更
【補正の内容】
【０１１０】
本発明に係る加熱調理器によれば、前記操作部の内、複数の誘導加熱手段及び電熱ヒーターの加熱出力又は調理加減を設定するための操作部をスライドレバーから構成したので、操作量が把握し易いものとなっており、操作性に優れたものとなっている。
【手続補正２７】
【補正対象書類名】明細書
【補正対象項目名】０１１１
【補正方法】変更
【補正の内容】
【０１１１】
本発明に係る加熱調理器によれば、表示部はそれぞれが複数色表示可能な複数のセグメントからなり、報知制御手段は、所定の温度制御調理モードが設定されると、表示部のセグメントに対応して、所定温度から調理モードの設定温度までの範囲と、少なくとも温度検出手段からの温度とを記表示部に識別表示させるようにしたので、調理モードの設定温度までの温度の推移を把握することができる。即ち、実際の温度が設定温度に到達するまでのおよその時間を知ることができる。また、予熱表示と実際の調理物との関係が使用者に分かり易いものとなっている。
【手続補正２８】
【補正対象書類名】明細書
【補正対象項目名】０１１２
【補正方法】変更
【補正の内容】
【０１１２】
本発明に係る加熱調理器によれば、少なくとも２以上の誘導加熱手段に温度制御調理モードを設定可能にしたものである。
【手続補正２９】
【補正対象書類名】明細書
【補正対象項目名】０１１３
【補正方法】変更
【補正の内容】
【０１１３】
本発明に係る加熱調理器によれば、被加熱物である鍋の種類を判別し、その種類に応じて誘導加熱手段の最大加熱出力に規制をかけるようにしたので、例えば非磁性鍋等で誘導加熱手段に流れる共振電流が増大して発熱するのを予め防止し、機器が破損するのを防ぐことができる。